(57)【要約】【課題】組立が簡単で、制振バーおよび関連する要素が正しい位置に確実に保持され、かつ制振バーを連結する連結装置の部品点数が低減される、熱交換器を提供すること。【解決手段】熱交換器が、Ｕ字状の複数の管（１０）を具備し、かつ、この複数の管（１０）が平行な平坦状の管層に配設されて成る管巣と、管層の湾曲する領域において、管巣を越えて延びるように、隣接する前記管層間に配設された複数の制振バー（１５）と、制振バー（１５）の外側端部を連結して少なくとも２つの制振バーから成る複数の組立体とする連結装置（２０）とを具備し、直線上に並設された制振バーの各組立体に対して、連結装置（２０）が、制振バー（１５）の端部を受承するための複数のスロット（２１ａ）が形成されたコーム（２１）と、スロットにより形成される空間を閉鎖するコームカバー（２２）と、コームカバーをコームに締結する手段（２３）とを具備している。【選択図】図５
2006105589.tif 000002
【特許請求の範囲】
【請求項１】
管（１０）、すなわち、互いに平行な２つの直管部（１０ａ、１０ｂ）と、該２つの直管部（１０ａ、１０ｂ）の間に設けられた湾曲部（１０ｃ）から成り、正規アレーに配設されたＵ字状の複数の管（１０）を具備し、かつ、該複数の管（１０）が平行な平坦状の管層に配設されて成る管巣と、
前記管（１０）を包囲する管巣ジャケット（４）と、
前記管層の湾曲する領域において、前記管巣を越えて延びるように、隣接する前記管層間に配設された複数の制振バー（１５）と、
制振バー（１５）の外側端部を連結して少なくとも２つの制振バーから成る複数の組立体とする連結装置（２０）とを具備し、
直線上に並設された制振バーの各組立体に対して、前記連結装置（２０）が、前記制振バー（１５）の端部を受承するための複数のスロット（２１ａ）が形成されたコーム（２１）と、前記スロットにより形成される空間を閉鎖するコームカバー（２２）と、前記カバーを前記コームに締結する手段（２３）とを具備することを特徴とする熱交換器。
【請求項２】
前記カバーを前記コームに締結する手段が、前記コームに設けられたネジ孔と、該ネジ孔に係合するネジ（２３）から成ることを特徴とする請求項１に記載の熱交換器。
【請求項３】
前記制振バー（１５）がスロットを有しており、該スロットは、前記コームの対応するスロットに保持され、前記制振バーと前記連結装置（２０）との間の相対動作が防止されるように、コームのスロットに対設されていることを特徴とする請求項１または２に記載の熱交換器。
【請求項４】
前記管層の平面に対して垂直な同一平面に配設された前記連結装置（２０）が、特定の制振バー（１５）の先端を隣接する２つのコームに挿入することによって互いに連結されていることを特徴とする請求項１から３の何れか１項に記載の熱交換器。
【請求項５】
前記コーム（２１）が、該コームに取り付けられ、かつ、特定の管の外側輪郭に適合した接触面を有する支持装置（２４）により前記管巣に対して位置決めされることを特徴とする請求項１から４の何れか１項に記載の熱交換器。
【請求項６】
前記支持装置（２４）が、前記コーム（２１）により保持されるプレート（２５）と、Ｕ字状の小片（２６）とを具備して、ネジ締結手段（２７）によりプレートに一体に保持されることを特徴とする請求項５に記載の熱交換器。
【請求項７】
前記管層の平面に対して垂直な平面に配設された一連の連結装置から構成される端部連結組立体が、前記管層の平面に平行な少なくとも１つの拘束部材（３０）により互いに連結されることを特徴とする請求項１から６の何れか１項に記載の熱交換器。
【請求項８】
前記少なくとも１つの拘束部材（３０）が、前記管巣ジャケット（４）に連結された支持部材（４０）に連結され、制振バーの組のための拘束装置を構成することを特徴とする請求項７に記載の熱交換器。
【発明の詳細な説明】
【技術分野】
【０００１】
本発明は、Ｕ字状の管から成る管巣と、前記管のＵ字状の湾曲部の間に設けられた制振バーとを具備する熱交換器に関する。本発明は、特に加圧水型原子炉の蒸気発生器に適用することができる。
【背景技術】
【０００２】
加圧水型原子炉の蒸気発生器は、２つの平行な直管部を備えたＵ字状の管を有しており、直管部の先端は管板内で拡大させられる。
管巣の管の先端は、管板に矩形または三角形のパターンで配設された小孔に挿入され、正規のアレー状に配設される。このとき直管部が全て互いに平行となり、管は、互いに平行で平坦な層状に配設されることとなる。管巣の湾曲部は、その半径外側の管から内側の管へ向けて次第に大きくなる。
【０００３】
管層の各々の管の湾曲部は異なる湾曲半径を有しており、蒸気発生器の管巣の頂部において概ね半球状の構造、すなわち管湾曲領域を形成するように並設される。
蒸気発生器が作動中、高温の加圧された水が管巣の管内を流通し、給水が管の外側熱交換表面に接触するように供給される。給水は熱交換表面に添って鉛直方向に流動し、そこで加熱され蒸発して、蒸気となって蒸気発生器の上方部から取り出される。
【０００４】
管に接触する流体の流れにより振動が発生するので、管が効果的に保持されていない場合には管が損傷する。
管の直管部は管スペーサ支持部材に装着される。管スペーサ支持部材は、管巣の高さに応じて設定される距離を以て互いに離隔配置されている。直管部は、従って、剛性部分により効果的に保持されている。管湾曲領域を構成する管巣の管の湾曲部もまた保持する必要があり、そのために一般的に制振バーが利用されている。この制振バーの各々は、隣接する管層の間に配設され、管湾曲領域から概ね半径方向に設置される。制振バーは、例えば、特許文献１に開示されており、通常、角度をもったＶ字状の構造となるように、その先端から管湾曲領域の内部にかけて２つに互いに連結されている。
【０００５】
制振バーの外側の先端は、管湾曲領域の外側の管層を構成する管から突出しており、連結装置を用いて互いに連結されている。これにより制振バーが正しい位置に確実に保持される。
制振バーの外側の端部を連結するために、管湾曲領域の上端面の上方に配設された取付手段を利用した種々の手段が提案されている。
【０００６】
第１の提案としては、例えば、特許文献１がある。この文献の装置では、制振バーの端部が、管湾曲領域を通過する子午面に配置されたフープ（hoop）と呼ばれる湾曲した要素に溶接されている。
制振バーを溶接を利用して固着する場合には、この溶接作業は管巣の管の近傍で行わなければならないので、管を損傷する危惧がある。
【０００７】
そこで、機械的連結装置が提案された。この連結装置により、制振バーの外側の端部が、管湾曲領域の外側表面の上方に配設された拘束リング等の取付部材に連結される。
フラマトムにより出願された特許文献２では、概ね半円形の拘束部材が具備されている。この拘束部材にはブラケットが取着されており、該ブラケットは前記拘束部材に対して垂直に設けられており、かつ、制振バーの各端部に対して反対側に配設されている。機械的装置により前記制振バーの各々の端部が対応するブラケットに連結される。
【０００８】
機械的連結装置が、また、提案されている。この装置は、制振バーの外側端部を隣接する制振バーの端部を組み合わせるように配設されている。
フラマトムにより出願された特許文献３では安定装置が提案されている。この安定装置は、少なくとも２つの制振バーより成る組立体を構成する制振バーの外側端部の間に配設された連結手段を具備している。上記制振バーは並設されており、各々、一直線上に並設された貫通孔を有している。この貫通孔の１つにはネジ部が設けられている。制振バー連結装置が、前記一直線上に並設された貫通孔および隣接する制振バーの間に配設されたスペーサの貫通孔に挿入されるピンを有している。このピンは、管層の端に配設された制振バーに形成された前記ネジ部に係合するネジ部が、その一端に形成されている。このピンは、また、前記スペーサに溶接される回転止装置に連結される。この形式の装置は、それまでの機械的装置に対して利点を有しているが、制振バーの個数および連結される端部の制振バーの層の長さにより決定される長さを有するピンが必要となり、非常に長いピンを使用しなければならい場合がある。これは、設置条件およびピンの機械的強度の観点から欠点となる。
【０００９】
フラマトムにより出願された特許文献４では保持装置が提案されている。この保持装置は、少なくとも２つの制振バーより成る組立体を構成する制振バーの外側端部の間に配設された連結手段を具備している。制振バーの外側端部間に配設された連結装置を具備している。上記制振バーは並設されており、各々、一直線上に並設された貫通孔を有している。制振バーの端部間に配設された連結装置はネジを具備している。このネジは、その頭部が第１の制振バーに取り付けられ、かつ、そのネジ付のシャンクがネジ部を介してスペーサまたはネジ付の取付要素に螺着される。ネジのネジ部およびスペーサは前記一直線上に並設された貫通孔を介して制振バーに挿通される。
【００１０】
上記制振装置の欠点は、多数の機械的部品が必要であり、設置に時間を要し、組立中や運転中、メンテナンス中に部品が無くなることがある点である。
制振バーを有する制振安定装置は、装置を管湾曲領域に保持するために保持装置が必要である。
既述した特許文献１では、フレーム部材に溶接されたＵ字状の保持係止クリップが使用されている。このクリップは管巣の複数の管をＵ字の内側に保持して、フープおよび制振バーを管に連結している。
【００１１】
機械的に固定して溶接を除去するために、係止クリップが、また、特許文献２、特許文献３、及び特許文献４でも使用されている。
然しながら、係止クリップは、管巣の一部に抑え付け荷重を作用させることにより制振装置を保持する欠点がある。蒸気発生器の作動中は、管は鋭敏な要素であるので、保持力を吸収するための管以外の要素が必要である。
【００１２】
フラマトムにより出願された特許文献５では、蒸気発生器の作動中に制振バーが管巣から外れることを防止するための取付装置が提案されている。この取付装置は、蒸気発生器の管支持板に取り付けられた長尺構造体を具備しており、該長尺構造体は管湾曲領域を構成する管の湾曲部の直近に配設されている。前記長尺構造体は、通常、レール状に形成されており、蒸気発生器管レーン（steam generator lane）を構成する中心空間において、前記管支持板の上面に前記管層に対して垂直に取り付けられている。前記長尺構造体は、二対の隣接する管層の間の空間の各々に対向して、少なくとも１つのスロットを有しており、該スロット内に制振バーの内側部分が挿入される。
【００１３】
この保持装置は、既述した管に保持力を与える欠点は解決するが、組立に際して非常に長い設置時間を必要とする。と言うのは、多数のスロット内に制振バーを挿入しなければならないからである。更に、この制振装置は、正しい位置にしっかりと保持されない。
【００１４】
【特許文献１】米国特許第３００７６７９号明細書
【特許文献２】仏国特許出願公開第２６４４２８１号明細書
【特許文献３】仏国特許出願公開第２６６４９５９号明細書
【特許文献４】仏国特許出願第９３／１２．５１４号明細書
【特許文献５】仏国特許出願第９１−１４６５５号明細書
【発明の開示】
【発明が解決しようとする課題】
【００１５】
本発明の目的の１つは、これまで公知となっている装置よりも組立が簡単で、かつ、制振バーおよび関連する要素が正しい位置に確実に保持される熱交換器を提供することである。
本発明の他の目的は、制振バーを一直線上に並列させて、連結装置の部品点数の低減を図るとともに、それらの組立を容易にすることである。
【課題を解決するための手段】
【００１６】
本発明は、管、すなわち、互いに平行な２つの直管部と、該２つの直管部の間に設けられた湾曲部から成り、正規アレーに配設されたＵ字状の複数の管を具備し、かつ、該複数の管が平行な平坦状の管層に配設されて成る管巣と；前記管を包囲する管巣ジャケットと；前記管層の湾曲する領域において、前記管巣を越えて延びるように、隣接する前記管層間に配設された制振バーと；制振バーの外側端部を連結する連結装置と；拘束装置とを具備し、
前記連結装置の各組立体が少なくとも１つの支持部材にて連結されており、前記支持部材は、制振バーおよびその連結装置が全体として前記管の直管部に平行な方向へ限定的に移動することを許容する拘束装置を構成するように、前記管巣ジャケットに取着されていることを特徴とする熱交換器を要旨とする。
【００１７】
本発明は、また、管、すなわち、互いに平行な２つの直管部と、該２つの直管部の間に設けられた湾曲部から成り、正規アレーに配設されたＵ字状の複数の管を具備し、かつ、該複数の管が平行な平坦状の管層に配設されて成る管巣と；前記管を包囲する管巣ジャケットと；前記管層の湾曲する領域において、前記管巣を越えて延びるように、隣接する前記管層間に配設された複数の制振バーと；制振バーの外側端部を連結して少なくとも２つのバーから成る複数の組立体とする連結装置とを具備し、
直線上に並設された制振バーの各組立体に対して、前記連結装置が、前記制振バーの端部を受承するための複数のスロットが形成されたコームと；前記スロットにより形成される空間を閉鎖するコームカバーと；前記カバーを前記コームに締結する手段とを具備することを特徴とする熱交換器を要旨とする。
【発明を実施するための最良の形態】
【００１８】
図１に加圧水型原子炉の蒸気発生器１が図示されている。
この蒸気発生器は、円筒状の下部２ａを有する外殻２を具備している。下部２ａ内には、蒸気発生器管巣３が管巣ジャケット４内に配設されている。蒸気発生器の外殻２の上部２ｂは、下部２ａの直径よりも大きな直径を有している。上部２ａの内部には、管巣３との接触により発生した蒸気のための気水分離器および蒸気乾燥器が配設されている。
【００１９】
外殻２の下部２ａは厚肉の管板５に連結されている。管板５には多数の小孔が貫通形成されている。該小孔に管巣３を構成する管が挿通され、溶接および（例えば、機械的または油圧による）拡大により固着されている。外殻２の下部２ａの他端には、前記管板に半球状のシェル６が取り付けられている。隔壁７が蒸気発生器のチャンネルヘッドを２つの部分に分割している。
チャンネルヘッドの２つの部分の各々はノズルにより、原子炉からの加圧された冷却水が流通する一次系冷却システムに連結されている。
【００２０】
管巣３は、Ｕ字状に曲げられた複数の管１０を具備して成る。管１０の各々は第１と第２の直管部１０ａ、１０ｂと、該第１と第２の直管部１０ａ、１０ｂの間において概ね半円形状に曲げられた湾曲部１０ｃとを有している。
第１と第２の直管部１０ａ、１０ｂは、隔壁７の両側の管板５に形成された小孔に挿入され拡大される。
【００２１】
管支持板８が前記管巣の高さにより一定の間隔を置いて配設されており、管１０の第１と第２の直管部１０ａ、１０ｂが、管支持板８に形成された小孔に挿入されている。上記管支持板８の各々の小孔は、第１と第２の直管部１０ａ、１０ｂが平行に保持されるように、前記管板５に形成された小孔と同様の配列にて形成されている。
【００２２】
更に、管板５および管支持板８の小孔は直線状の複数の列にて配設されており、該小孔に管１０が挿入される。また、管１０の湾曲部１０ｃの半径は、管巣の最も外側の部分から最も内側の部分へ向けて小さくなっている。こうして管巣を構成する管は図２に示すように一連の管層１２を形成する。各管層内で、湾曲部１０ｃの半径は、最も外側の管から最も内側の管へ向けて、つまり、上部から底部へ向けて小さくなっている。管層内において最大半径を有する最も外側の管の半径は、管巣の中心部から管巣の最も外側部分へ向けて小さくなっている。
【００２３】
その結果、管１０のＵ字状の湾曲部１０ｃを並置して成る管湾曲領域９は半球状となる。管板５および管支持板８の中心部分には、管を挿入する前記小孔が形成されておらず、管巣の中心部は、最も小さな半径の湾曲部を有する管の直管部による空間または管通路（tube lane ）１１となっている。そして、該直管部は空間１１の直径方向に並設されている。
【００２４】
蒸気発生器１は給水環１３を有している。給水環１３は、内部に管巣の管湾曲領域９が配設された管巣ジャケット４の上部の上方に配設されている。
【００２５】
蒸気発生器が作動すると、加圧された原子炉冷却水が前記チャンネルヘッドの一方の室、つまり、チャンネルヘッドの第１の室に流入し、管巣の管１０の第１の直管部１０ａに分配される。この加圧水は管１０を流通し、第２の直管部１０ｂを経てチャンネルヘッドの他方、つまり、チャンネルヘッドの第２の室に流出する。そして、この加圧水は管巣の出口にて回収され、一次系冷却システムへの配管を経て再び原子炉容器へ循環する。
【００２６】
給水環１３により蒸気発生器の外殻２へ導入された給水は、管巣ジャケット４と蒸気発生器の外殻２との間の環状の空間内を下方に流通し、次いで、管巣ジャケット４内に流入し、管板５の上面の上方にて管１０と接触する。給水は、管と接触しながら管巣内部を上方に流通して、管内部を流通する加圧水との熱交換により加熱され蒸発する。管巣との接触により発生した蒸気は蒸気発生器上部に流入し乾燥させられ、蒸気発生器の上端１４から取り出される。
【００２７】
平坦な管層１２の各々において管は互いに同じ間隔を置いて配設されており、かつ、各管層は互いに等距離に配設されている。蒸気発生器給水は、こうして管の外表面に接触しながら循環する。
管の表面と接触しながら高速で流動する水は、管支持板８により直管部がしっかりと保持された管１０に振動を生じさせる。
【００２８】
管の湾曲部１０ｃを管湾曲領域内でしっかり保持するために、隣接する２つの管層１２の間に制振バーが配設されている。制振バーは、その脚部が半径方向に設置されており、かつ、湾曲部１０ｃの輪郭に適合する隣接した２つの脚部が概ね一定の角度を形成するように配設されている。
【００２９】
Ｖ字状の３つの制振バー、つまり、概ね一定の角度間隔で配設された合計６つの脚部を有する３つの制振バーが、通常、管巣において隣接する２つの管層１２の間に配設されている。
制振バーの脚部の外側の端部または先端１５ｂは、管湾曲領域の最も外側の表面を越えて延びており、制振バーを固定できるようになっている。
【００３０】
以下の記載では、「制振バー」の用語は、Ｖ字状の組立体１５の脚部を意味するものとする。
図３、４は、正方形のアレー状に配設された管巣および三角形のアレー状に配設された管巣における前記管層の上部分および本発明による安定装置の一部の断面図である。
【００３１】
管巣の管は、管板５の小孔と、該小孔のアレーと同様のアレー状に配設された管支持板８の小孔により規則正しいアレー状に保持されている。
管を三角形のアレー状に配設する場合には、正方形のアレー状に配設する場合よりも、隣接する管層の間隔が小さくなる。
【００３２】
本発明による装置は、管が接近配置された三角形アレーおよび正方形アレーの両方の場合に適用可能である。
図３、４において、対応する構成要素は、図４側の構成要素に「′」を付して同じ参照番号で指示されている。
【００３３】
管１０または１０′が、平行な一連の管層を形成しており、該管層の間に制振バー１５、１５′が配設される。
蒸気発生器の管巣において管湾曲領域を形成する部分では、各管層は、並設されたＵ字状に湾曲した管から成り、この湾曲部は最も外側から最も内側へ向けて半径が小さくなっている。
【００３４】
制振バー１５の先端１５ｂは、管湾曲領域を越えて延びている。これらの先端は直線上に配列されて、長さ可変の直線構造を形成している。
制振バーの突出した先端は連結装置２０により互いに連結されている。該連結装置は、一組の直線上に並設されたバーを構成する２つ以上の制振バーを連結することが可能である。
【００３５】
同様に、図４に示すように、三角形アレーに配設された管から成る管層の間に配設された制振バー１５′の先端は、連結装置２０′により互いに連結されている。該連結装置は、一組の直線上に並設されたバーを構成する２つ以上の制振バーを連結することが可能である。
【００３６】
図５を参照して、本発明による制振バー１５の先端を連結する連結装置２０を連結する安定装置を説明する。
【００３７】
連結装置２０の各々は、コームと呼ばれる長尺部２１を具備している。長尺部２１はスロット２１ａを有している。連結装置２０は、更に、前記コームの上に配設されたカバー２２と、前記カバーを前記コームに固定するための１または複数のネジ２３とを具備している。スロット２１ａは、制振バー１５の先端を受承するように形成されている。コーム２１は、制振バーを連結可能とするために少なくとも２つのスロットを有している。中心部の最も大きなコームは、例えば、３０におよぶスロットを備えていることがある。
【００３８】
連結装置２０にて効果的に制振バー１５の先端を保持するために、好ましくは、制振バーの先端部にスロットが形成されている。制振バー１５のスロットは、前記コームのスロットの底部へ嵌設され、制振バーの先端が連結装置２０により効果的に保持されるように、コームのスロットに対向している。全ての場合においてコームのスロットの深さと幅は、コームのスロット２１ａに配設された制振バーの断面が、概ね前記スロットを埋め尽くすように選択される。
【００３９】
コーム２１は、前記スロットが形成された面において同スロット間に、連結ネジ２３を受承する１または複数のネジ孔が形成されている。
カバー２２は長尺部材より成り、連結ネジ２３を挿通させるための１または複数の孔が形成されている。
【００４０】
先端が一直線上に並設された前記制振バーが前記コーム２１のスロット２１ａに嵌設されると、連結ネジ２３を前記コームのネジ孔に螺合して、前記カバーが前記スロットの上に固定される。ネジ２３の頭部とコーム２１のカバー２２との間を１または２か所スポット溶接してネジ２３の回転を防止する。
また、詳細に後述するように、幾つかのコームには、端面および前記スロットが形成された面に他のネジ孔を有している。
【００４１】
連結装置２０および制振バー１５を管１０、特に、管湾曲領域９に対して正しく配置するために、止め具２４が前記コームに備えられている。止め具２４は、図６に示すように、プレート２５と、Ｕ小片２６と、ネジ２７とを具備している。止め具２４は、管湾曲領域９の外側部分の近傍に配置された特定の管１０により支持される。
【００４２】
プレート２５は細長い板状の部材であり、管１０の外側輪郭の寸法にて形成された丸形の支承凹部を有している。該支承凹部は管に対する支承面を構成している。前記止め具の幅は、２つの凹部２５ｂの部分を除いて管の直径よりも僅かに大きくなっている。上記２つの凹部の間には、組立に際して位置決めできるように長手方向の長穴が形成されている。
【００４３】
小片２６は逆Ｕ字状の断面と、プレート２５の前記凹部と概ね等しい長さとを有している。該小片は、更に、長穴が形成されており、前記凹部の位置においてプレート２５の上方に配置される。
プレート２５と小片２６は、前記コームに形成されたネジ穴にネジ２７を螺合することにより、前記コームに取り付けられる。
【００４４】
確実にプレート２５を永久的に正しい位置に保持するために、小片２６とコーム２１との間が溶接される。ネジ２７の頭部と小片２６との間をスポット溶接することによりネジ２７の緩みが防止される。
【００４５】
管湾曲領域において同一平面（以下の説明では子午面（meridian plane）と記載する。）に置かれた制振バー１５の先端を連結する全ての連結装置２０は、２つの隣接する連結装置２０の双方により１つの制振バーの先端１５ｂを把持させる、つまり、１つの制振バーの先端１５ｂを２つの隣接するコーム２１に挿入することにより連結される。
【００４６】
コーム２１が充分な個数のスロットを備えているならば、２つの制振バー１５の先端１５ｂを共に２つの隣接する連結装置に挿入して全体の剛性を高めることが望ましい。
【００４７】
２つの隣接する連結装置に連結された制振バー１５の先端は、２つの隣接するコームのスロットに挿入される２つのスロットを有している。
全ての連結装置が設置されると、制振バー１５の全ての先端は、コーム２１の１つまたは２つのスロット内に配置される。
【００４８】
異なる角度を有するＶ字形状の３つの制振バー１５から成る組が前記各管層の間に設置される通常の場合では、前記制振バーは前記平坦な管層１２の面に対して垂直な面内で前記管湾曲領域の子午線に概ね沿って配設され、６組の制振バーの先端が互いに連結される。同一子午線にある連結装置は端部連結組立体と呼ばれる。端部連結組立体は、同じ角度を有する制振バーに取り付けられた他の端部連結組立体に連結されるが、他の４の端部連結組立体からは独立している。
【００４９】
全ての端部連結組立体を連結するために、拘束部材３０が、異なる端部連結組立体を連結しながら、管湾曲領域９の半球形状の外側部分に対して平行に配設される。
拘束部材３０は、各拘束部材を端部連結組立体の各々のコーム２１に連結スルことにより、連結装置２０に連結される。拘束部材３０とコーム２１は、ネジ３１により連結される。ネジ３１は、既述のように、拘束部材に設けられた孔に挿通され、コーム２１の端面に設けられたネジ孔に螺合される。
【００５０】
制振バーの先端を１つの剛性の組立体として保持するために、例えば、７つの拘束部材を使用することができる。管湾曲領域の上方において拘束部材３０の配置により、種々の半径を有する拘束部材を使用することができる。
より大きな半径の中心拘束部材３０が図２の平面に配設されている。該拘束部材は、各端部連結組立体のコーム２１の中心部分において連結されている。
【００５１】
図７に中心コーム２１と中央拘束部材３０との間の連結が図示されている。
前記管と制振バーは、フランス国特許ＦＲ−Ａ−２６０３３６４号に記載された方法に従って設置することができる。この方法によれば、前記管は、図１に示すように、中心部に配置された最も大きな管層から開始して、一連の管層に設置され、次第に管層の寸法を小さくしていく。背印バーは、前進的に管層の間に配置される。管巣の半分が設置されると、蒸気発生器は、水平面内でその軸線回りに１８０°回転させられ、次いで、最も大きな管層から次第に管層の寸法を小さくしながら、残りの半体部分の管巣が設置される。
【００５２】
中心拘束部材３０と中心コーム２１とを設置するために、２つの半体コームから成る特別の中心コームが使用される。２つの半体コームは、図８に示すように、アリ溝形に長手に組み立てられる。半体コームの各々は、コームカバー２２にネジにて固定される支持ブラケット２８に取着される。
【００５３】
管巣の第２の半体部分を組立て始めるとき、第２の半体コームが第１の半体コームにアリ溝式に取着される。
支持ブラケット２８は半体コームの各々に取着される。支持ブラケット２８は取付ボルト用のネジ孔を有している。拘束部材にはラグ２９が備えられている。ラグ２９は、該ラグに挿通され支持ブラケット２８のネジ孔に螺合される取付ボルトにより取着される。
【００５４】
図５、９を参照すると、制振バー１５と、端部連結組立体と、拘束部材３０とにより構成される制振装置が保持装置により保持されている。
既述の安定装置は、全体として管層の間において移動することができる。安定装置が設置された当初の位置は蒸気発生器の運転中に変化する。既に説明したように、管により拘束される係止クリップを備えた装置、または、管支持板に設けられ管湾曲領域近傍に配設されたレールを備えた装置が使用されてきた。
【００５５】
本発明の場合には、管巣ジャケット４に取着され、かつ、制振安定装置に連結された支持部材４０が使用される。
以下に説明する拘束装置は、特に、制振バー端部連結装置に関して既述した制振安定装置とは異なる制振安定装置と共に使用可能である。拘束機能を確実にする支持部材４０は、管巣ジャケット４に溶接により固着された金属製の支持ブラケット４１を具備している。支持ブラケット４１において管巣ジャケット４の反対側の端部にはブッシュ４２が取り付けられている。ブッシュ４２はピン４４を受承する。ピン４４は蒸気発生器の中心軸線に平行に設けられている。
拘束部材３０の各先端にはブラケット３２が溶接により固着されている。
【００５６】
蒸気発生器は、通常、図１に示すように、その中心軸が鉛直となるように配置される。これまでの記載および以下の記載では、この配置を想定している。蒸気発生器が水平位置に設置される場合には、位置に関する用語は対応するように置換される。
ブラケット３２は概ね平坦で、ブッシュ４２の下側で概ね水平に配置され、支持ブラケット４１に当接するように配設される。支持ブラケット４１の下端は同じ水平面に配置される。
【００５７】
ブラケット３２は小孔３３を有している。小孔３３はピン４４の断面の寸法よりも僅かに大きくなっている。
ピン４４はブッシュ４２よりも長く、ブッシュ４２の上方に数ミリメートル突出し、かつ、ブッシュ４２の下側に数センチメートル突出し、ブラケット３２の小孔を貫通するようにブッシュ４２に挿入される。ピン４４は、次いで、溶接部４５を以てブッシュ４２の上面に溶接される。
【００５８】
組み立てる間、水平面４３に配置されたブッシュ４２の下端面とブラケット３２の上端面との間に間隙Ｊが取られる。この間隙Ｊは、前記２つの端面の間にスペーサ（図示せず）を置くことにより確保することができる。
このようにして構成された支持部材を備えた装置は、制振安定装置全体を確実に正しい位置、すなわち、設置当初の組立位置に保持し、制振装置が鉛直方向に蒸気発生器の上方部に向かう動作および制振装置の傾き動作が制限される。
【００５９】
また、制振装置が移動できる余地を残すために、ブラケット３２の小孔３３はピン４４の寸法よりも大きな寸法を有しており、支持装置の水平面内での二次元的な制限された動作が可能となっている。
最後に、ワッシャ４６がピン４４の下端に配設され溶接部４７を以て該ピンに取着される。こうして、拘束部材３０のブラケット３２は、あらゆる状況の下でも、ピン４４に対する位置が変化することがなくなる。
【００６０】
既述の支持装置は拘束部材の両端に配設される。７つの拘束部材３０が上述のように配設されるときは、１４の支持部材を管巣ジャケット４の周縁部に配設することが好ましい。
【００６１】
本発明は既述の実施形態に限定されない。
制振バー端部連結装置は、既存の装置に基づいて既述した拘束装置と同様の拘束装置と関連させることができる。
拘束装置は、全ての連結装置の動作を許容する限定的な間隙を設けて変更することができる。
制振バーは、既述の形状とは異なる形状とすることができる。
本発明は、Ｕ字状の管を正規アレーに配設し、該Ｕ字管の間に制振バーを設けたあらゆる蒸気発生器または熱交換器に適用することができる。
【図面の簡単な説明】
【００６２】
【図１】加圧水型原子炉蒸気発生器の部分断面図である。
【図２】図１において矢視線２−２に沿う断面図であり、図１の平面に対して垂直な面で切断した管湾曲領域の上部の略断面図である。
【図３】図１において矢視線３−３に沿う断面図であり、蒸気発生器の管巣が正方形のアレー状に配設された場合の制振バーの先端（外側端部）と連結装置とを示す図である。
【図４】図１において矢視線３−３に沿う断面図であり、蒸気発生器の管巣が三角形のアレー状に配設された場合の制振バーの先端（外側端部）と連結装置とを示す図である。
【図５】本発明による支持装置の部分斜視図であり、連結装置と保持装置とを示す図である。
【図６】連結装置の止め具を示す詳細斜視図である。
【図７】管支持装置の詳細斜視図である。
【図８】中心コームの詳細断面図である。
【図９】保持装置の断面図である。
【符号の説明】
【００６３】
４    管巣ジャケット
１０    管
１５    制振バー
２０    連結装置
２１    コーム
２１ａ    スロット
２２    コームカバー
２４    止め具
３０    拘束部材
４０    支持部材
【図１】
2006105589.tif 000003
【図２】
2006105589.tif 000004
【図３】
2006105589.tif 000005
【図４】
2006105589.tif 000006
【図５】
2006105589.tif 000007
【図６】
2006105589.tif 000008
【図７】
2006105589.tif 000009
【図８】
2006105589.tif 000010
【図９】
2006105589.tif 000011